(57)【要約】【課題】本発明は、ノッチ部における防水性を向上させることのできるログ材を提供することを目的とする。【解決手段】ログハウス用のログ材１００において、長尺な本体部１０と、前記本体部１０の長手方向Ｌと交差して延在する溝部２１を有する他のログ材１００と嵌合可能な嵌合部２０と、前記本体部１０と前記嵌合部２０との間に設けられてシール材３２を取り付け可能な段部３０とを備え、前記本体部１０は、前記長手方向Ｌに延在する凸部１１が設けられた第１の面１０ａと、前記長手方向Ｌに延在する凹部１２を有する第２の面１０ｂとを背中合わせに有し、前記段部３０は、前記第１の面１０ａに沿って有する第３の面３５と、前記第２の面１０ｂに沿って有する第４の面３６との間隔Ｄ１が、前記第１の面１０ａと前記第２の面１０ｂとの間隔Ｄ２よりも小さい。【選択図】図１
2020165295.tif 000002
【特許請求の範囲】
【請求項１】
ログハウス用のログ材において、
長尺な本体部と、前記本体部の長手方向と交差して延在する溝部を有して他のログ材と嵌合可能な嵌合部と、前記本体部と前記嵌合部との間に設けられてシール材を取り付け可能な段部とを備え、
前記本体部は、前記長手方向に延在する凸部が設けられた第１の面と、前記長手方向に延在する凹部を有する第２の面とを背中合わせに有し、
前記段部は、前記第１の面に沿って有する第３の面と、前記第２の面に沿って有する第４の面との間隔が、前記第１の面と前記第２の面との間隔よりも小さいことを特徴とする、ログ材。
【請求項２】
請求項１に記載のログ材において、前記長手方向に延在する前記凸部は、前記段部に到達しないで終端することを特徴とする、ログ材。
【請求項３】
請求項１または２に記載のログ材において、前記第１の面と前記第３の面とを同一面内に有することを特徴とする、ログ材。
【請求項４】
請求項１乃至３のいずれか１項に記載のログ材において、前記本体部は、前記段部に沿って隣接する角部が前記第１の面及び前記第２の面に対して垂直な方向に延在する２つの面で直角に切り取られた形状を有し、前記２つの面の一方が前記段部の側面と同一面内に有することを特徴とする、ログ材。
【請求項５】
請求項１乃至４のいずれか１項に記載のログ材において、前記第１の面と前記第２の面との間が円柱状に膨らんだ膨張部を有することを特徴とする、ログ材。
【請求項６】
請求項５に記載のログ材において、前記膨張部の前記嵌合部側の端部は、前記本体部の長手方向と前記溝部が延在する方向とに対して４５度傾斜した平坦な傾斜面を有することを特徴とする、ログ材。
【請求項７】
請求項１乃至６のいずれか１項に記載のログ材において、前記ログ材は、前記嵌合部を挟んで平行に対向する一対の前記段部を備え、前記嵌合部は、矩形の上面を有し、一対の前記段部は、前記嵌合部の前記上面の４つの頂点の対角線の交点を中心に点対称に互いに対して幅方向にずれており、他の前記ログ材の前記段部が差し込まれるための切欠部を有していることを特徴とする、ログ材。
【請求項８】
請求項７に記載のログ材において、他の前記ログ材と嵌合したときに、前記嵌合部は、４つの前記段部で囲まれた矩形の空間が密閉されることを特徴とする、ログ材。
【請求項９】
請求項１乃至８のいずれか１項に記載のログ材において、前記段部は、第１のシール材が配置されたことを特徴とする、ログ材。
【請求項１０】
請求項９に記載のログ材において、他の前記ログ材と嵌合したときに、前記第１のシール材は、前記幅方向の一端で他の前記ログ材の前記本体部の端面に密着するとともに、前記幅方向の他端で他の前記ログ材の前記段部の端面に密着することを特徴とする、ログ材。
【請求項１１】
請求項１乃至１０のいずれか１項に記載のログ材において、前記嵌合部は、縁部に第２のシール材が配置されたことを特徴とする、ログ材。
【請求項１２】
請求項１１に記載のログ材において、他の前記ログ材と嵌合したときに、前記第２のシール材は、前記幅方向の両端で他の前記ログ材の一対の前記段部の端面にそれぞれ密着することを特徴とする、ログ材。
【発明の詳細な説明】
【技術分野】
【０００１】
本発明は、ログハウス用のログ材に関する。
【背景技術】
【０００２】
従来、ログハウス用のログ材であって、他のログ材と嵌合するためのノッチ部にシール材を設けることにより防水するものが知られている（例えば、特許文献１参照）。この種のログ材では、ノッチ部を上下方向に貫通する水抜き孔や、ログ材の長手方向に沿ってログ材の上面に排水用の溝を形成することにより排水性を向上させたログ材が提案されている（例えば、特許文献２参照）。また、防水テープの端部を外側に露出させてコーキング処理を施したログ材が提案されている（例えば、特許文献３及び４参照）。
【先行技術文献】
【特許文献】
【０００３】
【特許文献１】特開昭４９−０４３４０９号公報
【特許文献２】実用新案登録第３２１５０４８号公報
【特許文献３】特許第６３５３５９５号公報
【特許文献４】特開２０１９−０３９２８９号公報
【発明の概要】
【発明が解決しようとする課題】
【０００４】
しかしながら、上記従来の技術によるログ材では、ノッチ部の防水が困難であり、ノッチ部で重ねてログ材を交互に積み重ねたときに、ノッチ部どうしの隙間から雨水が侵入し易いため、ログ材が腐朽し易かった。
【０００５】
また、排水性を向上させるべく、ログ材を上下方向に貫通する水抜き孔や、ログ材の長手方向に沿ってログ材の上面に排水用の溝を形成することは、ログ材の形状が複雑になってしまうために加工性が悪かった。
【０００６】
さらに、防水テープの端部を外側に露出させてコーキング処理を施して耐水性を向上させる方法では、ログ材どうしが嵌合する位置で防水テープを折り曲げて調整する作業やコーキング処理が必要となり、防水テープやコーキング材が外部に露出するため、施工性が悪い上にログ壁の美観を損ねるといった問題があった。
【０００７】
さらにまた、従来のいずれの方法であっても、ノッチ部におけるログ材の収縮により、隙間が生じてしまうといった問題があった。
【０００８】
本発明の目的は、上述した従来の技術が有する課題を解消し、ノッチ部における防水性を向上させることのできるログ材を提供することにある。
【課題を解決するための手段】
【０００９】
本発明は、ログハウス用のログ材において、長尺な本体部と、前記本体部の長手方向と交差して延在する溝部を有する他のログ材と嵌合可能な嵌合部と、前記本体部と前記嵌合部との間に設けられてシール材を取り付け可能な段部とを備え、前記本体部は、前記長手方向に延在する凸部が設けられた第１の面と、前記長手方向に延在する凹部を有する第２の面とを背中合わせに有し、前記段部は、前記第１の面に沿って有する第３の面と、前記第２の面に沿って有する第４の面との間隔が、前記第１の面と前記第２の面との間隔よりも小さいことを特徴とする。
【００１０】
この場合において、前記長手方向に延在する前記凸部は、前記段部に到達しないで終端していてもよい。前記第１の面と前記第３の面とは同一面内に有していてもよい。前記本体部は、前記段部に沿って隣接する角部が前記第１の面及び前記第２の面に対して垂直な方向に延在する２つの面で直角に切り取られた形状を有し、前記２つの面の一方が前記段部の側面と同一面内に有していてもよい。前記第１の面と前記第２の面との間が円柱状に膨らんだ膨張部を有していてもよい。前記膨張部の前記嵌合部側の端部は、前記本体部の長手方向と前記溝部が延在する方向とに対して４５度傾斜した平坦な傾斜面を有していてもよい。前記ログ材は、前記嵌合部を挟んで平行に対向する一対の前記段部を備え、前記嵌合部は、矩形の上面を有し、一対の前記段部は、前記嵌合部を中心に点対称に互いに対して幅方向にずれており、他の前記ログ材の前記段部が差し込まれるための切欠部を有していてもよい。他の前記ログ材と嵌合したときに、前記嵌合部は、４つの前記段部で囲まれた矩形の空間が密閉されていてもよい。前記段部は、第１のシール材が配置されていてもよい。他の前記ログ材と嵌合したときに、前記第１のシール材は、前記幅方向の一端で他の前記ログ材の前記本体部の端面に密着するとともに、前記幅方向の他端で他の前記ログ材の前記段部の端面に密着していてもよい。前記嵌合部は、縁部に第２のシール材が配置されていてもよい。他の前記ログ材と嵌合したときに、前記第２のシール材は、前記幅方向の両端で他の前記ログ材の一対の前記段部の端面にそれぞれ密着していてもよい。
【発明の効果】
【００１１】
本発明では、ノッチ部における防水性を向上させることのできるログ材を提供することができる。
【図面の簡単な説明】
【００１２】
【図１】第１実施形態のログ材の上面図を示す。
【図２】第１実施形態のログ材の側面図を示す。
【図３】図１におけるログ材のＡ−Ａ断面図を示す。
【図４】第１実施形態の２本のログ材を組んだときの上面図を示す。
【図５】第１実施形態の上下に隣接する２本のログ材のノッチ部の断面図を示す。
【図６】図４の拡大図を示す。
【図７】第１実施形態のノッチ部の拡大斜視図を示す。
【図８】第２実施形態のログ材の断面図を示す。
【図９】第２実施形態のログ材の上面図を示す。
【図１０】第２実施形態の２本のログ材を組んだときの上面図を示す。
【図１１】第２実施形態のノッチ部の斜視図を示す。
【図１２】変形例のログ材の上面図を示す。
【発明を実施するための形態】
【００１３】
以下、図面を参照して、本発明の好適な実施の形態について説明する。
（第１実施形態）
図１は、第１実施形態のログ材の上面図を示し、図２は、ログ材の側面図を示し、図３は、図１におけるログ材のＡ−Ａ断面図を示す。
ログ材１００は、図１に示すように、本体部１０と、ノッチ部（嵌合部）２０と、一対の段部３０ａ，３０ｂとを有している。このログ材１００は、同じ構造の複数のログ材１００を積み重ねることにより、ログハウスの外壁となるログ壁等を構築するための建築材料である。ログ材１００は、ノッチ部２０を有することにより、先に積まれたログ材１００に対して、ノッチ部２０どうしが垂直に交差して次のログ材１００を積み重ねて、上方から見て垂直に交差した壁を構築することができる。
【００１４】
本体部１０は、長尺形状を有している。段部３０の第１の側面３１に沿って隣接する角部１０ｃには、第１の面１０ａ及び第２の面１０ｂ（図２参照）に対して垂直な方向に延在する水路面１３及びガイド面１４を有している。水路面１３は、排水路１５を画定し、ガイド面１４は、ログ材１００，１００の位置決めを行う。これら水路面１５とガイド面１４とからなる角部１０ｃは、本体部１０が直角に切り取られた形状を有し、水路面１３を段部３０の第１の側面３１と同一面内に有している。
【００１５】
本体部１０は、図２に示すように、ログ材１００の長手方向Ｌに延在する凸部１１が設けられた第１の面１０ａと、ログ材１００の長手方向Ｌに延在する凹部１２を有する第２の面１０ｂとを背中合わせに有している。凸部１１は、本体部１０上を長手方向Ｌに延在し、段部３０の手前で終端する。
【００１６】
凸部１１は、サネであり、図３に示すように、第１の面１０ａから突出した台形形状を有しており、頂部には第１の面１０ａに対して略平行な頂面１１ａを有している。頂面１１ａの幅方向Ｗの両端は、頂部から第１の面１０ａに近づくほど、長手方向に垂直な幅方向Ｗに広がって傾斜した側面を有している。凸部１１の側面は、図示せぬシール材が長手方向Ｌに沿って取り付けられている。
【００１７】
凹部１２は、本体部１０が台形形状に切り取られている。凹部１２は、別のログ材１００の凸部１１を受けて嵌合してサネ構造を構成する。凹部１２は、凹部１２の底面１２ａから第２の面１０ｂに近づくほど、幅方向Ｗに広がって傾斜した側面を有している。
【００１８】
ノッチ部２０は、図１に示すように、本体部１０の長手方向Ｌと交差して延在する溝部２１を有して他のログ材１００のノッチ部２０と嵌合可能に設けられている。このノッチ部２０は、上方から見たときに本体部１０よりも幅方向Ｗに小さい。また、ノッチ部２０は、図２に示すように、側方から見たときに本体部１０の第１の面１０ａと第２の面１０ｂとの間隔Ｄ２の半分よりも小さな寸法を有している。ノッチ部２０は、段部３０と隣接する位置に破線で示すシール材２２が巻き回されている。
【００１９】
段部３０は、本体部１０とノッチ部２０との間に設けられてシール材３２を取り付け可能であり、破線で示すシール材３２が設けられている。この段部３０は、図１に示すように、上方から見たときに幅方向Ｗに本体部１０よりも小さく、かつ、ノッチ部２０よりも大きい。
【００２０】
シール材２２及びシール材３２は、ＥＰＤＭ（エチレン・プロピレン・ジエンゴム）等のゴム発泡体である。これらシール材２２，３２としては、例えば、厚さ１０ｍｍで幅１０ｍｍの矩形断面を有するＥＰＤＭ等のゴム発泡体である。
【００２１】
段部３０は、本体部１０の第１の面１０ａに垂直である。また、段部３０は、長手方向Ｌに延在するノッチ部２０の一方の側面２３と段部３０の一方の第２の側面３４とを同一面内に有している。
【００２２】
段部３０の上面である第３の面３５は、図２に示すように、本体部１０の上面である第１の面１０ａと同一面内にある。一方、段部３０の下面である第４の面３６は、２本のログ材１００，１００が積み重ねられたときに重なる位置にある２つのシール材３２，３２の厚さの合計分よりもわずかに小さい距離だけ、本体部１０の下面である第２の面１０ｂから内側に平行にずれている。ここで、凹部１２の底面１２ａは、下の段に積まれた別のログ材１００の凸部１１が収まるのに十分な高さだけ第２の面１０ｂから内側に平行にずれて位置しているが、シール材３２の厚さによっては、段部３０の第４の面３６は凹部１２の底面１２ａと同一面内になく、本体部１０の第２の面１０ｂに対して凹部１２の底面１２ａよりも近い位置にある。なお、段部３０の第４の面３６は、シール材３２の厚さによっては凹部１２の底面１２ａと同一面内にあってもよい。
【００２３】
段部３０の高さは、側方から見たときに本体部１０の高さよりも小さく、かつ、ノッチ部２０の高さよりも大きい。段部３０は、図３に示すように、本体部１０の第１の面１０ａに沿って有する第３の面３５と、本体部１０の第２の面１０ｂに沿って形成された第４の面３６との間隔Ｄ１が、本体部１０の第１の面１０ａと第２の面１０ｂとの間隔Ｄ２よりも小さい。
【００２４】
段部３０の長手方向Ｌに垂直な断面は、本体部１０の長手方向Ｌに垂直な断面よりも小さく、かつ、ノッチ部２０の長手方向Ｌに垂直な断面よりも大きく、全体的に矩形形状を有している。この段部３０は、本体部１０の凹部１２と連通してへこんだ断面形状を有し、第４の面３６に平行な底面３６ａを有している。段部３０の底面３６ａは、本体部１０の凹部１２の底面１２ａと同一面内に有しており、段部３０の底面３６ａの幅方向Ｗの両端は、本体部１０の凹部１２の側壁と同一面内に有している。これにより、段部３０の断面の中心Ｃ２は本体部１０の断面及びノッチ部２０の断面の中心Ｃ１に対して幅方向Ｗにずれている。より具体的には、図１に示すように、ノッチ部２０を挟んだ一対の段部３０ａ，３０ｂの各々は、幅方向Ｗに対してそれぞれ反対方向にずれている。
【００２５】
段部３０には、図３に示すように、破線で示すシール材３２が巻き回されている。このシール材３２は、第４の面３６と底面３６ａとの境界で内側に折り曲げられることにより底面３６ａに沿って取り付けられている。シール材３２は、段部３０の第４の面３６と本体部１０の第２の面１０ｂとの間隔の半分の長さよりも若干厚いため、ログ材１００を別のログ材１００の上に同じ向きで重ね上げたときに、一方のログ材１００の段部３０の第３の面３５と他方のログ材１００の段部３０の第４の面３６との間に挟まったシール材３２，３２は少し圧縮されて密着し、隙間がない。これにより、ノッチ部２０は、段部３０に巻かれたシール材３２とノッチ部２０に巻かれたシール材２２とにより防水される。
【００２６】
以下、本実施形態のログ材１００をノッチ部２０で交差して他のログ材１００と積み重ねたときの状態について説明する。
図４は、２本のログ材を組んだときの上面図を示し、図５は、上下に隣接する２本のログ材のノッチ部の断面図を示し、図６は、図４の拡大図を示し、図７は、ノッチ部の拡大斜視図を示す。
【００２７】
本実施形態のノッチ部２０は、図１に示すように、矩形の上面を有している。ノッチ部２０を挟んで平行に位置する一対の段部３０ａ，３０ｂは、ノッチ部２０の上面の４つの頂点の対角線の交点Ｃ３を中心に点対称にずれており、一対の段部３０ａ，３０ｂは、互いに対して幅方向Ｗに逆向きにずれて配置されている。すなわち、他のログ材１００の段部３０が差し込まれるための切欠部が端面１６と第２の側面３４とで構成され、一対の段部３０ａ，３０ｂは、ノッチ部２０を中心に点対称に互いに対して幅方向Ｗにずれている。これにより、いずれも同じログ材１００であるログ材１００Ａの上にログ材１００Ｂをノッチ部２０で交差して積み重ねると、図４に示すように、一方のログ材１００の段部３０は、幅方向Ｗの一端にある第１の側面３１側に位置するシール材３２の部分が他方のログ材１００の本体部１０の端面１６に密着して当接し、一方のログ材１００の段部３０と他方のログ材１００の本体部１０との境界を密閉する。なお、ノッチ部２０の幅Ｅ１は、一対の段部３０ａ，３０ｂの端面３７，３７間の間隔Ｅ２よりも狭くなっている。また、段部３０の幅は、段部３０の一方の端面３７と対向する本体部１０の端面１６との間隔よりも狭くなっている。すなわち、ログ材１００のノッチ部２０及び段部３０は、シール材２２，３２がないと隙間を有しており、シール材２２，３２の肉厚はこの隙間よりも大きい。
【００２８】
一方、一方のログ材１００の段部３０は、第１の側面３１に対して幅方向Ｗの他端にある第２の側面３４側に位置するシール材３２の部分が交差して積み重ねられた他方のログ材１００の段部３０の端面３７に密着して当接し、段部３０どうしの境界を密閉する。このようにして、交差して積み重ねられたログ材１００Ａ，１００Ｂによって交互に密閉されることにより、ノッチ部２０の４辺は、シール材３２が巻き回された４つの段部３０が上から見て矩形の４辺を構成して配列されて互いに密着するため、４つの段部３０の内側の矩形の空間は完全に密閉される。
【００２９】
また、交差せずに同じ向きに積み重ねられたログ材１００，１００は、図５に示すように、下側のログ材１００の段部３０の上面に位置するシール材３２と上側のログ材１００の段部３０の下面に位置するシール材３２とが互いに密着するため、上下のログ材１００，１００間の境界が密閉される。これにより、複数のログ材１００を交差して順次積み重ねたときに、上から見て４つの段部３０で囲まれた矩形の空間は、最下段のログ材１００から最上段のログ材１００にかけて密閉される。
【００３０】
本実施形態のログ材１００は、図４に示すように、ノッチ部２０を挟んで位置する一対の段部３０ａ，３０ｂの各々がノッチ部２０に対して幅方向Ｗにずれて配置されている。これにより、交差して積み重ねられる複数のログ材１００Ａ，１００Ｂの段部３０ａ，３０ｂの構造を同一にすることができ、本体部１０の端面１６と段部３０の端面３７とをシール材２２，３２で密閉することができる。すなわち、同一構造の段部３０ａ，３０ｂを有するログ材１００Ａ，１００Ｂを交互に積み重ねることで、それぞれのログ材１００Ａ，１００Ｂの第１の側面３１のシール材３２と本体部１０の端面１６とが当接し、第２の側面３４のシール材３２と段部３０の端面３７とが当接してノッチ部２０が密閉される。
【００３１】
段部３０に巻かれたシール材３２は、図６に示すように、段部３０に巻き回されているが本体部１０の水路面１３にはシール材が設けられていない。このため、他のログ材１００と組み合わされたときに、本体部１０と他のログ材１００との間に隙間を有し、この隙間が雨水を排水するための排水路１５となる。
【００３２】
一方のログ材１００のノッチ部２０は、一対のシール材２２，２２がそれぞれ幅方向の両端で他方のログ材１００の一対の段部３０ａ，３０ｂの端面３７，３７の間に挟まって密着して当接し、ノッチ部２０と段部３０ａ，３０ｂとの境界を密閉する。すなわち、積み重ねられたログ材１００のノッチ部２０は、９０度毎に同じに嵌合及び密閉されている。このとき、図７に示すように、一方のログ材１００Ａと他方のログ材１００Ｂとは、それぞれ縦方向の寸法の半分だけ上下にずれて積み重ねられている。
【００３３】
本実施形態のログ材１００は、長尺な本体部１０と、本体部１０の長手方向Ｌと交差して延在する溝部２１を有する他のログ材１００と嵌合可能なノッチ部２０と、本体部１０とノッチ部２０との間に設けられてシール材３２を取り付け可能な段部３０とを備え、本体部１０は、長手方向Ｌに延在する凸部１１が設けられた第１の面１０ａと、長手方向Ｌに延在する凹部１２を有する第２の面１０ｂとを背中合わせに有し、段部３０は、第１の面１０ａに沿って有する第３の面３５と、第２の面１０ｂに沿って有する第４の面３６との間隔Ｄ１が、第１の面１０ａと第２の面１０ｂとの間隔Ｄ２よりも小さくなっている。これにより、ノッチ部２０に隣接する位置にある段部３０にシール材３２を設けることができてノッチ部２０の４辺が密閉され、ログ材１００どうしの隙間からノッチ部２０への雨水の侵入を防止することができる。このため、ノッチ部における防水性を向上させることができる。
【００３４】
また、ログ材１００は、本体部１０よりも断面積の小さな段部３０が設けていることにより、ログ材１００どうしをノッチ部２０で積み重ねたときに、シール材３２が収容される隙間を有するため、ノッチ部２０，２０どうしの間にシール材が挟まってノッチ部２０，２０どうしの嵌合がきつくなることがなく、また、挟まったシール材がめくれて防水不良を生じさせることがない。
【００３５】
さらに、ログ材１００は、ノッチ部２０へのシール材の取り付けやコーキング処理を施工現場で行う必要がなく施工性が良い。
【００３６】
さらにまた、ログ材１００は、シール材が外部に露出したり、施工現場でのコーキング処理によりコーキング材が外部に露出したりすることがないため、シール材の露出によってログ壁の美観を損ねることがない。
【００３７】
（第２実施形態）
以下、第２実施形態のログ材２００について説明する。
図８は、ログ材の断面図を示し、図９は、ログ材の上面図を示し、図１０は、２本のログ材を組んだときの上面図を示し、図１１は、ノッチ部の斜視図を示す。なお、第２実施形態では第１実施形態と異なる部分について説明し、第１実施形態と同一の構成に対しては同一の符号を用いている。
【００３８】
本実施形態のログ材２００は、図８に示すように、本体部１０の側面である第１の面１０ａと第２の面１０ｂとの間の部分が円柱状に膨らんだ膨張部１７を有する構成が第１実施形態のログ材１００と異なっている。この膨張部１７は、ログ材２００を組み上げてログハウスを作成したときに、外壁は丸太らしい曲面で、内壁は板壁のような雰囲気をもたらすために設けられている。膨張部１７の輪郭が有する曲面は、上端よりも下端の方が本体部１０に対して外側に位置している、すなわち凸部１１を挟む第１の面１０ａの全体的な幅は、凹部１２を挟む第２の面１０ｂの全体的な幅よりも幅広である。これにより、同じ向きに積み重ねられたログ材２００は、上側に積まれたログ材２００の下端が下側に積まれたログ材２００の上端よりも外側に突出する。
【００３９】
膨張部１７は、図９に示すように、本体部１０の長手方向Ｌに沿って延在している。膨張部１７は、ノッチ部２０の近傍で長手方向Ｌに対して４５度だけ斜めに切り取られた形状を有している。具体的には、膨張部１７は、ガイド面１４の外側端部から４５度に切り取られた平坦な傾斜面１７ａを有している一方、端面１６の外側端部から長手方向Ｌにずれた位置から４５度に切り取られた平坦な傾斜面１７ｂを有している。これら傾斜面１７ａ，１７ｂの各々は、長手方向Ｌと溝部２１が延在する方向である幅方向Ｗとに対して４５度傾斜した平面を有しており、互いに対して９０度傾斜している。これらの傾斜面１７ａ，１７ｂの延長線上には、上から見て、直交して交互に積み重ねられた複数のログ材２００の交点が位置する。
【００４０】
積み重ねられたログ材２００，２００は、図１０に示すように、膨張部１７に傾斜面１７ａ，１７ｂを有していることにより、隣り合う傾斜面１７ａ，１７ｂどうしが当接する。このとき、積み重ねられたログ材２００，２００は、図１１に示すように、直交して交互に積み重ねられたログ材２００，２００の膨張面１７，１７がログ材２００の高さの半分程度の高さだけずれて位置している。
【００４１】
以上、実施形態に基づいて本発明を説明してきたが、本発明はこれに限定されない。例えば、上記実施形態では、凸部１１は、図１に示すように、段部３０の手前で終端して設けられているが、これに限定されない。凸部１１は、図１２に示すように、段部３０まで延在して、段部３０の端面３７で終端していてもよい。このとき、段部３０に巻き付けられたシール材３２は、両端が凸部１１の手前で終端して凸部１１を挟んで配置されている。
【符号の説明】
【００４２】
１０…本体部
１０ａ…第１の面
１０ｂ…第２の面
１０ｃ…角部
１１…凸部
１１ａ…頂面
１２…凹部
１２ａ…底面
１３…水路面
１４…ガイド面
１５…排水路
１６…端面
１７…膨張部
２０…ノッチ部（嵌合部）
２１…溝部
２２…シール材
２３…側面
３０…段部
３１…第１の側面
３２…シール材
３４…第２の側面
３５…第３の面
３６…第４の面
３６ａ…底面
３７…端面
１００…ログ材
２００…ログ材
【図１】
2020165295.tif 000003
【図２】
2020165295.tif 000004
【図３】
2020165295.tif 000005
【図４】
2020165295.tif 000006
【図５】
2020165295.tif 000007
【図６】
2020165295.tif 000008
【図７】
2020165295.tif 000009
【図８】
2020165295.tif 000010
【図９】
2020165295.tif 000011
【図１０】
2020165295.tif 000012
【図１１】
2020165295.tif 000013
【図１２】
2020165295.tif 000014